(57)【要約】      （修正有）【課題】厚みの異なる多様な食器を乾燥させるのに適しており、使用時に乾燥させる食器の量等に応じてサイズを調節し、設置場所のスペースを有効に活用することができる水切りかご及び仕切りを提供する。【解決手段】水切りかご１００は、一の方向に伸縮可能に構成された仕切り１と、仕切りと同一の方向に複数の板を多段状に嵌合して伸縮可能に構成され仕切りを収容可能なトレイ２と、を備え、仕切り１は、食器具を立て掛ける複数の皿立て部１２と伸縮方向に互いに平行に配置された２本の伸縮棒１１と仕切りを支持する複数の脚１３を有し、トレイ２は、トレイ内に収容された仕切りの複数の脚の高さよりも低い位置に排水口３を有する。【選択図】図２
0003197855.tif 000002
【実用新案登録請求の範囲】
【請求項１】
一の方向に伸縮可能に構成された仕切りと、
前記仕切りと同一の方向に伸縮可能に構成され前記仕切りを収容可能に形成されたトレイと、
を備え、
前記仕切りは、食器具を立て掛ける複数の皿立て部と該仕切りを支持する複数の脚を有し、
前記トレイは、該トレイ内に収容された前記仕切りの前記複数の脚の高さよりも低い位置に排水口を有することを特徴とする水切りかご。
【請求項２】
前記仕切りは、伸縮方向に向かって互いに平行に配置された２本の伸縮軸を有することにより伸縮可能に構成されていることを特徴とする請求項１記載の水切りかご。
【請求項３】
前記２本の伸縮軸は、複数の短管を順次嵌合させた多段状に形成され、順次嵌合した該複数の短管を接続する留め具を有することを特徴とする請求項２記載の水切りかご。
【請求項４】
前記２本の伸縮軸は、蛇腹状又はパンタグラフ式に形成されていることを特徴とする請求項２記載の水切りかご。
【請求項５】
前記皿立て部は、該皿立て部を前記２本の伸縮軸の任意の位置に着脱自在に接続する接続部を有することを特徴とする、請求項２から４のいずれか１項に記載の水切りかご。
【請求項６】
前記接続部は、Ｕ字管形状又はクリップ形状に形成されていることを特徴とする請求項５記載の水切りかご。
【請求項７】
前記トレイは、中空構造を有する複数の板状部材を順次嵌合させた多段状に形成されていることにより伸縮可能に構成されていることを特徴とする請求項１から６のいずれか１項に記載の水切りかご。
【請求項８】
前記トレイは、蛇腹状又はパンタグラフ式に形成されていることを特徴とする請求項１から６のいずれか１項に記載の水切りかご。
【請求項９】
前記仕切りと前記トレイは、
伸縮方向に最大限度まで伸長した状態に対して少なくとも二分の一程度に収縮可能である、請求項１から８のいずれか１項に記載の水切りかご。
【請求項１０】
請求項１から９のいずれか１項に記載の水切りかご用の仕切りであって、
食器具を立て掛ける複数の皿立て部と、
複数の脚と、
一の方向に向かって互いに平行に配置された２本の伸縮軸と、
を備え、
前記２本の伸縮軸は、複数の短管を順次嵌合させた多段状に形成され、順次嵌合した該複数の短管を接続する留め具を有し、
前記皿立て部は、該皿立て部を前記２本の伸縮軸の任意の位置に着脱自在に接続する接続部を有し、
前記２本の伸縮軸によって、前記一の方向に伸縮可能に構成されていることを特徴とする仕切り。
【考案の詳細な説明】
【技術分野】
【０００１】
この考案は、家庭向け食器用水切りかごと水切りかごに用いる仕切りに関する。
【背景技術】
【０００２】
従来の水切りかごは、洗浄済みの食器類や調理器具等（以降、総称として「食器具」と記載する）を立て掛けて乾燥させるため、固定された仕切りを有しているものが一般的である。また、水切りかごを設置する台所のスペースの有効活用のため、使用しないときには折りたたむことが可能な水切りかごが知られている（例えば、特許文献１）。
【先行技術文献】
【特許文献】
【０００３】
【特許文献１】特開２０１３−１０６７７９号公報
【考案の概要】
【考案が解決しようとする課題】
【０００４】
従来の水切りかごは、未使用時に畳んで収納することは可能であるが、付属する仕切りにおいて食器具を立て掛ける幅を調節できない。このため、厚みの異なる多様な食器を乾燥させるのには適さないという問題がある。また、従来、仕切りとトレイとを附属する水切りかごにおいて、使用時に仕切りのサイズを調節し且つ仕切りのサイズに合わせてトレイのサイズを調節することはできなかった。このため、従来の水切りかごでは、使用時において乾燥させる食器の量に関わらず台所カウンター等の水切りかごの設置場所の一定のスペースを占領するという問題があった。
【０００５】
本考案の目的は、厚みの異なる多様な食器を乾燥させるのに適しており且つ使用時において乾燥させる食器の量等に応じてサイズを調節し、設置場所のスペースを有効に活用することができる水切りかご及び仕切りを提供することにある。
【課題を解決するための手段】
【０００６】
上記課題を解決するために、本考案の一態様による水切りかごは、一の方向に伸縮可能に構成された仕切りと、前記仕切りと同一の方向に伸縮可能に構成され前記仕切りを収容可能に形成されたトレイと、を備え、前記仕切りは、食器具を立て掛ける複数の皿立て部と該仕切りを支持する複数の脚を有し、前記トレイは、該トレイ内に収容された前記仕切りの前記複数の脚の高さよりも低い位置に排水口を有することを特徴とする。
【０００７】
また、上記課題を解決するために、本考案の一態様による仕切りは、食器具を立て掛ける複数の皿立て部と、複数の脚と、一の方向に向かって互いに平行に配置された２本の伸縮軸と、を備え、前記２本の伸縮軸は、複数の短管を順次嵌合させた多段状に形成され、順次嵌合した該複数の短管を接続する留め具を有し、前記皿立て部は、該皿立て部を前記２本の伸縮軸の任意の位置に着脱自在に接続する接続部を有し、前記２本の伸縮軸によって、前記一の方向に伸縮可能に構成されていることを特徴とする。
【考案の効果】
【０００８】
本考案によれば、厚みの異なる多様な食器を乾燥させるのに適しており且つ使用時において乾燥させる食器の量等に応じて水切りかご及び仕切りの設置場所のスペースを有効に活用できる。
【図面の簡単な説明】
【０００９】
【図１】本考案の一実施形態による水切りかごの外観斜視図である。
【図２】本考案の一実施形態による水切りかごに用いる最大限度まで伸長した仕切りと最大限度まで伸長したトレイの外観斜視図である。
【図３】本考案の一実施形態による水切りかごに用いる最小限度まで収縮した仕切りと最小限度まで収縮したトレイの外観斜視図である。
【図４】本考案の一実施形態による水切りかごに用いる仕切りの外観斜視図である。
【図５】本考案の一実施形態による水切りかごの仕切りに用いる皿立て部の外観斜視図である。
【図６】本考案の一実施形態による水切りかごに用いるトレイの断面図である。
【図７】本考案の一実施形態による水切りかごに用いるトレイの変形例の断面図である。
【考案を実施するための形態】
【００１０】
まず、本実施形態による水切りかごの概要を、図１から図３を参照して説明する。
図１に示すように、水切りかご１００は、洗浄済みの食器具を立て掛けて乾燥するのに用いる仕切り１と、仕切り１を収容可能に形成されたトレイ２とを備えている。
【００１１】
詳しくは後述するが、本実施形態による水切りかご１００が備える仕切り１は、一の方向に伸縮可能に構成されている。ここで、一の方向とは、例えば図１及び図２に示すトレイ２の長手側の辺に沿う方向である。また、水切りかご１００が備えるトレイ２は、仕切り１と同一の方向に伸縮可能に構成されている。仕切り１及び仕切り１を収容するトレイ２が伸縮可能に構成されていることにより、水切りかご１００は伸縮可能な構成となっている。
【００１２】
図２は、仕切り１及びトレイ２がそれぞれ一の伸縮方向に最大限度まで伸長した状態を示している。また、図３は、仕切り１及びトレイ２がそれぞれ一の伸縮方向に最小限度まで収縮した状態を示している。図２及び図３に示すように、仕切り１とトレイ２とは、最大限度まで伸長した状態に対して少なくとも二分の一程度まで収縮可能になっている。したがって、水切りかご１００は、最大限度まで伸長した状態に対して、少なくとも二分の一程度まで収縮可能に構成されている。なお、図２及び図３に示すように、仕切り１とトレイ２とは互いに分離した構成になっており、仕切り１のみ又はトレイ２のみでも使用可能である。
【００１３】
次に、水切りかご１００の各構成について説明する。
図２及び図３示すように、仕切り１は、２本の伸縮軸１１と、洗浄済みの食器具を立て掛ける複数（図２では、４つ）の皿立て部１２と、仕切り１を支持する複数（図２では４本）の脚１３とを有している。２本の伸縮軸１１は、一の方向に伸縮可能に構成され、伸縮方向に向かって互いに平行に配置されている。伸縮軸１１を有することにより、仕切り１は伸縮可能に構成されている。伸縮軸１１の伸縮構造については後述する。
【００１４】
複数の皿立て部１２のそれぞれは、食器具を立て掛けるアーチ形状の部材を有し、平行に配置された２本の伸縮軸１１に接続されている。換言すれば、２本の伸縮軸１１は、皿立て部１２によって連結されている。また、複数の脚１３は同じ高さの円筒状に形成され、１本の伸縮軸１１の両端に１本ずつ、すなわち２本の伸縮軸１１それぞれに２本ずつ設けられている。図１に示すように、脚１３の高さは、トレイ２の側周面において最も高さが高い部分を超過しないようになっている。
【００１５】
トレイ２は、図１から図３に示すように上面が解放された箱形状であり、仕切り１を収容可能に構成されている。トレイ２の側面には、トレイ２の側面を貫通する孔部であって、洗浄済みの食器具から滴下してトレイ２の内部に溜まった水分を排出する排水口３が設けられている。図１から図３では図示しないが、排水口３にホースを取り付けて水を台所のシンク等に流すこともできる。また、排水口３は栓を備え、使用者が栓を用いて任意に排水口３を開閉できるようになっていてもよい。また、図１から図３に示すように、トレイ２は伸縮可能に構成されている。トレイ２の伸縮構造については、後述する。
【００１６】
水切りかご１００では、仕切り１を、複数の脚１３がトレイ２の内部の底面に接するようにトレイ２内に配置することで、トレイ２内に仕切り１を収容できる。図１から図３に示すように、トレイ２の側面には、トレイ２内に収容された仕切り１の複数の脚１３の高さよりも低い位置に排水口３が設けられている。これにより、洗浄済みの食器具から滴下した水分は、乾燥中の食器具に接する前に排水口３を通じてトレイ２から排水される。
【００１７】
次に、仕切り１の各構成について具体的に説明する。
まず、仕切り１を構成する伸縮軸１１の一例について、図４を用いて説明する。伸縮軸１１は、複数の短管１１０を順次嵌合した多段状に形成されている。図４では、伸縮軸１１は４本の短管１１０によって全４段からなる多段状に形成されている。短管１１０は、合成樹脂又は金属（アルミニウム、ステンレス等）を素材として円筒状に形成されている。また、短管１１０は、中空構造を有しており、各短管１１０は、上段にあたる短管１１０に伸縮自在に嵌入するようになっている。具体的には、複数の短管１１０それぞれは、上段にあたる短管１１０に嵌入できるように、順次その外径を上段にあたる短管１１０の内径に合わせて小さくしている。例えば、図４に示す伸縮軸１１の最上段（左端）の短管１１０は、内径が２０ｍｍ程度になっており、これに嵌入する２段目の短管１１０は、外径が１９ｍｍ程度になっている。３段目、最下段（右端）の短管１１０も同様である。なお、図４に示す例では、最下段の短管１１０に対して嵌入する短管はないため、この右端の短管１１０は中空構造でなくてもよい。また、伸縮軸１１を構成する複数の短管１１０の数は２以上であればよく、図４に示す４本には限定されない。
【００１８】
伸縮軸１１には、複数の短管１１０の境目ごとに留め具１４が備えられている。図４では、４本の短管１１０の境目ごとに１つずつ、計３個の留め具１４が備えられている。留め具１４は、順次嵌合した複数の短管１１０を任意の場所で接続する。これにより、複数の短管１１０のそれぞれを任意の長さに調節できる。留め具１４は、例えば、伸縮構造を有する物干し竿の連結に一般的に用いられるような輪状の留め具であるが、これに限られず、ネジ等任意のものでよい。なお、最大限度まで伸長した伸縮軸１１の全長は、例えば３０ｃｍ程度であり、最小限度まで収縮した伸縮軸１１の全長は、例えば最大伸長時の二分の一程度（例えば、１５ｃｍ程度）になる。
【００１９】
また、仕切り１の２本の伸縮軸は、図４に示すような複数の短管１１０を順次嵌合させた多段状に限られない。仕切り１を伸縮可能とするための伸縮軸は、例えば、蛇腹状又はパンタグラフ式に形成されていてもよい。伸縮軸をパンタグラフ式に形成する場合は、例えば、皿立て部１２が接続し易いように伸縮軸の外表面をゴム製のチューブ等で覆ってもよい。
【００２０】
このように、仕切り１は、２本の伸縮軸１１によって伸縮可能に構成されている。これにより、使用者は、乾燥させる食器具の厚みや量等に応じて伸縮軸１１を伸縮させて仕切り１のサイズを調節することができる。なお、後述するように皿立て部１２は伸縮軸１１に対して着脱自在になっている。これにより、伸縮軸１１から皿立て部１２を取り外すことで、容易に伸縮軸１１を任意の長さに調節することができる。
【００２１】
次に、仕切り１を構成する皿立て部１２の一例について、図４及び図５を参照して説明する。皿立て部１２は、アーチ形状の部材の両端のそれぞれに接続部１５を有している。図４に示すように、接続部１５のそれぞれが２本の伸縮軸１１のそれぞれに接続されることで、皿立て部１２は伸縮軸１１に接続される。
【００２２】
接続部１５は、皿立て部１２を伸縮軸１１の任意の位置に着脱自在に接続する。具体的には、接続部１５は、図５に示すように使用時において下向きのＵ字管形状を有しており、接続部１５の内壁は、短管１１０の側部を覆うように把持して、皿立て部１２を伸縮軸１１に接続する。接続部１５は、例えば樹脂等の弾性を有する素材で形成されている。このため、皿立て部１２を伸縮軸１１に接続した際に、接続部１５の内壁と伸縮軸１１における短管１１０の外表面とが密着する。これにより、皿立て部１２に食器具を立て掛けた際に、皿立て部１２が食器具の重みで伸縮軸１１上を移動しないようになっている。
【００２３】
このように、接続部１５を有する複数の皿立て部１２は、伸縮軸１１を有する仕切り１に着脱自在に構成されている。したがって、使用者は、本実施形態の水切りかご１００を使用する際に、乾燥させる食器具の厚み又は伸縮軸１１の伸縮によって変化する仕切り１のサイズ等に合わせて複数の皿立て部１２の間隔や使用する皿立て部１２の数を調節することができる。また、仕切り１を最小限度まで収縮させた場合でも、使用する皿立て部１２の数を減らす又は複数の皿立て部１２の間隔を狭くする等して、食器具の乾燥に用いることができる。
【００２４】
なお、皿立て部１２の接続部の形状は、図４及び図５に示すＵ字管形状に限られない。例えば、皿立て部１２の接続部はクリップ形状を有し、短管１１０を挟み込むようにして、皿立て部１２を仕切り１の伸縮軸１１に接続するようになっていてもよい。
以上、説明したように、水切りかご１００に用いる仕切り１は伸縮可能に構成されている。また、皿立て部１２は、仕切り１の伸縮軸１１に対して着脱自在に構成されている。このため、仕切り１は、厚みの異なる多様な食器を乾燥させるのに適し且つ乾燥させる食器の量等に応じてサイズを調節し、設置場所のスペースを有効に活用することができる。
【００２５】
次に、トレイ２の伸縮構造の一例について、図６を用いて説明する。水切りかご１００に用いるトレイ２の伸縮構造としては、例えば、複数の板を順次嵌合させた多段状のものや蛇腹状又はパンタグラフ式に形成されているもの等種々の伸縮構造が挙げられるが、ここでは、水切りかご１００に用いるトレイの伸縮構造の一例として、複数の板状部材を順次嵌合させた多段状の伸縮構造について図６を参照して説明する。
【００２６】
図６は、図２に示す線分ＡＡでトレイ２を切断した断面を模式的に示す図である。トレイ２は、中空構造を有する複数の板状部材を順次嵌合させた多段状に形成されている。具体的には、図６に示すように、トレイ２は、５枚の板状部材２１，２２，２３，２４，２５（以降、「板状部材２１〜２５」と記載する場合がある）によって全５段からなる多段状に形成されている。トレイ２の側周面及び底面は、この板状部材２１〜２５によって形成されている。板状部材２１〜２５は、例えば、合成樹脂又は金属（アルミニウム、ステンレス等）を素材として形成されている。また、板状部材２１〜２５は中空構造を有しており、各板状部材は、上段にあたる板状部材に伸縮自在に嵌入するようになっている。
板状部材２１〜２５は、上段にあたる板状部材に下段にあたる板状部材を嵌入できるように、下段の板状部材の厚みを上段の板状部材の厚みに合わせて順次小さくしている。例えば、図６に示す板状部材２１は厚みを１０ｍｍ程度とし、板状部材２１に嵌入する２段目の板状部材２２の厚みを例えば９ｍｍ程度としている。板状部材２３〜２５も同様に、順次厚みを小さくしている。
【００２７】
図６では、最上段の板状部材２１には２段目の板状部材２２が伸縮自在に嵌入し、２段目の板状部材２２には３段目の板状部材２３が伸縮自在に嵌入している。また、３段目の板状部材２３には４段目の板状部材２４が伸縮自在に嵌入し、４段目の板状部材２４には最下段の板状部材２５が伸縮自在に嵌入している。このようにして、トレイ２は伸縮可能に構成されている。
なお、最下段の板状部材２５に嵌入する板状部材はないため、板状部材２５は中空構造でなくともよい。また、最上段の板状部材２１及び最下段の板状部材２５は、それぞれトレイ２の短手側の側面を構成するための側壁部分を有する点で板状部材２２〜２４とは形状が異なっている。
【００２８】
また、図６において図示していないが、板状部材２１〜２４のそれぞれは、嵌入する板状部材２２〜２５を中空構造の開口部から抜けにくくする係止構造を有している。係止構造は、例えば、板状部材２１〜２４を形成する素材の弾性によって嵌入する板状部材を把持する構成でもよいし、板状部材２１〜２４が有する中空構造の開口部の内周囲を静止摩擦力の大きい素材で覆う構成でもよい。
なお、図２に示すように板状部材２１〜２５によって形成される側周面及び底面が最大限度まで伸長したトレイ２の全長は、例えば３５ｃｍ程度であり、図３に示すように側周面及び底面が最小限度まで収縮したトレイ２の全長は、最大伸長時の二分の一程度（例えば、１８ｃｍ程度）である。また、トレイ２は、仕切り１を収容可能に形成されている。このため、最大限度まで伸長した仕切り１の全長が最大限度まで伸長したトレイ２の内部の全長を超えることはなく、最小限度まで収縮した仕切り１の全長が最小限度まで収縮したトレイ２の内部の全長を超えることもない。また、トレイ２の多段状の伸縮構造を構成する板状部材の数は２以上であればよく、図６に示す５枚には限られない。
【００２９】
以上、説明したように、水切りかご１００に用いるトレイ２は伸縮可能に構成されているため、仕切り１のサイズに合わせてトレイ２のサイズを調節することができる。
また、伸縮可能な仕切り１と伸縮可能なトレイ２とで構成される水切りかご１００は、乾燥させる食器具の厚みや量に応じてサイズを調節できるため、台所等における水切りかごの設置場所のスペースを有効に活用することができる。
【００３０】
以上、図６を参照してトレイ２における多段状の伸縮構造の一例を説明したが、水切りかご１００に用いるトレイの多段状の伸縮構造はこれに限られない。ここで、本実施形態の変形例として、複数の板状部材を順次嵌させて成る左右対称の多段状の伸縮構造を有するトレイについて図７を参照して説明する。
図７は、本実施形態の変形例のトレイ４を図２の線分ＡＡと同様の位置で切断した断面を模式的に示す図である。
【００３１】
図７に示すトレイ４は、複数の板状部材を順次嵌合させて成る左右対称の多段状に構成されている。具体的には、トレイ４は、中心板状部材４３を中心として左側領域に、図６に示すトレイ２の板状部材２１，２２と同じ構成の板状部材４１，４２を配置している。また、中心板状部材４３を中心として右側領域には、板状部材４１，４２と同じ構成の板状部材４４，４５を、板状部材４１，４２と左右対称となるように配置している。これにより、トレイ４は、中心板状部材４３を最下段として左右両側に２段ずつ板状部材が配置された左右対称の多段状に形成されている。トレイ４においては中心板状部材４３が最も厚みが小さく、板状部材４２，４４が次に厚みが小さく、板状部材４１，４５が最も厚みが大きくなっている。このため図７に示すように、最下段（３段目）の中心板状部材４３は上段に当たる２段目の板状部材４２，４４に伸縮自在に嵌入し、２段目の板状部材４２，４４はそれぞれ最上段の板状部材４１，４５に伸縮自在に嵌入する。これにより、トレイ４は伸縮可能に構成されている。
また、図７において図示していないが、板状部材４１、４２及び４４，４５は図６に示す板状部材２１〜２４が有するのと同様の係止構造を有している。また、中心板状部材４３及び板状部材４１，４２，４４，４５の素材は、図６に示す板状部材２１〜２５と同様である。
【００３２】
上記の実施形態及び変形例は、本考案の技術的思想を具体化するための構成を例示するものであって、本考案の技術的思想は、構成部品の材質、形状、構造、配置等を上記のものに特定するものでない。本考案の技術的思想は、実用新案登録請求の範囲に記載された請求項が規定する技術的範囲内において、種々の変更を加えることができる。
【符号の説明】
【００３３】
１      仕切り
２，４  トレイ
３      排水口
１１    伸縮軸
１２    皿立て部
１３    脚
１４    留め具
１５    接続部
２１，２２，２３，２４，２５，４１，４２，４４，４５  板状部材
４３    中心板状部材
１００  水切りかご
１１０  短管
【図１】
0003197855.tif 000003
【図２】
0003197855.tif 000004
【図３】
0003197855.tif 000005
【図４】
0003197855.tif 000006
【図５】
0003197855.tif 000007
【図６】
0003197855.tif 000008
【図７】
0003197855.tif 000009